(57)【要約】【課題】複数の照明器具を１つの照明空間で使用する場合に、複数の放電灯を一斉に点灯させることで、点灯タイミングのばらつきを無くし、使用者に違和感を与えることを防ぐ。【解決手段】放電灯点灯装置を収容する複数の照明器具で構成される照明システムであって、各照明器具に収容される放電灯点灯装置は、放電灯の予熱回路と共振回路を備えるインバータ式の点灯装置であり、複数の照明器具は１台の親機１０と１台以上の子機１１，１２，１３，…からなり、親機１０は子機１１，１２，１３，…へ先行予熱期間から始動期間へ移行させる始動モード信号を発信し、子機は始動モード信号を受けると放電灯Ｌａ１，Ｌａ２，Ｌａ３，…に始動電圧を印加し、放電灯Ｌａ１，Ｌａ２，Ｌａ３，…を一斉に点灯させる。【選択図】図１
2010009792.tif 000002
【特許請求の範囲】
【請求項１】
放電灯点灯装置を収容する複数の照明器具で構成され、各照明器具に収容される放電灯点灯装置は、直流電源の出力端に接続された少なくとも１つ以上のスイッチング素子からなるインバータと、前記インバータのスイッチングを制御する制御回路と、熱陰極を有する放電灯が接続可能な共振回路を備え前記インバータの出力端に接続される負荷回路と、前記放電灯のフィラメントの予熱を行う予熱回路とを備え、
複数の照明器具は１台の親機と１台以上の子機からなり、親機は子機へ先行予熱期間から始動期間へ移行させる始動モード信号を発信し、子機は始動モード信号を受けると放電灯に始動電圧を印加し、放電灯を点灯させることを特徴とする照明システム。
【請求項２】
照明器具に収容される放電灯点灯装置は、放電灯のフィラメント抵抗に起因する電気特性を検出する検出回路を具備し、子機は前記検出回路によりフィラメント抵抗に起因する電気特性を検出し、フィラメントの熱間抵抗と冷間抵抗との比が４．０以上５．５未満となると、親機へ先行予熱期間終了信号を出力し、親機は子機からの先行予熱期間終了信号を受けたあとで始動モード信号を発信することを特徴とする請求項１記載の照明システム。
【請求項３】
フィラメント抵抗に起因する電気特性は、ランプ点灯中である常時予熱時に検出され、予め記憶された先行予熱時のフィラメント電圧−フィラメント電流特性と常時予熱時のフィラメント抵抗に起因する電気特性の関係から、定められた先行予熱時間に応じて次回の先行予熱時の予熱電流量を決定することを特徴とする請求項２記載の照明システム。
【請求項４】
請求項１〜３のいずれかに記載の照明システムにより点灯動作が制御される放電灯を含むことを特徴とする照明器具。
【発明の詳細な説明】
【技術分野】
【０００１】
本発明は、複数の照明器具からなる照明システムに関するものである。
【背景技術】
【０００２】
従来の蛍光灯照明器具は個々に収納された放電灯点灯装置が定められた先行予熱電流をフィラメントに流し、先行予熱期間が終了すると放電灯へ始動電圧を印加し、点灯させるものが一般的である。しかし、複数の照明器具を１つの部屋で使用する場合、放電灯が点灯するタイミングに誤差が生じ、使用者に違和感を与えるという欠点がある。同種の放電灯点灯装置であれば、先行予熱時間が一定に設計されている場合もあるが、個々の放電灯点灯装置が有するタイマー等の部品（ＣＲ素子など）のばらつきによっては、放電灯が点灯するまでの時間にばらつきが生じることがある。また、異なる放電灯負荷の放電灯点灯装置であれば、先行予熱時間が同じでないことは充分考えられる。
【０００３】
また、一定の始動電圧を放電灯に印加しても、先行予熱でのフィラメント加熱具合により点灯しやすい場合や点灯し難い場合が発生し、結果的に点灯するタイミングに誤差が生じ、使用者に違和感をもたらす場合がある。これは、フィラメントの加熱状態がフィラメントからの熱電子放出（エミッション）に影響を与えるためである。
【０００４】
先行予熱時のフィラメントの加熱状態は点灯（始動）するタイミングに影響を与えるだけでなく、ランプ寿命にも影響をもたらす。加熱不足でのランプ点灯（始動）はコールドスタートと呼ばれ、スパッタリングによるフィラメントの短寿命をもたらす。また、フィラメントの過剰加熱はフィラメントのエミッタ等を蒸発させ、やはり、短寿命をもたらす。
【０００５】
特許文献１（特開２００２−５６９９５号公報）では、フィラメント先行予熱時の過剰予熱を防止するための技術が開示されている。これは、フィラメントを電流源で予熱する予熱電源と、予熱電源の出力を制御する予熱制御回路と、フィラメント電圧検出回路を備え、先行予熱期間中にフィラメント電圧が予め設定された電圧を超えないように予熱電源の出力や先行予熱時間の長さを変化させるものであり、これにより、ランプ寿命を確保できるとしている。
【特許文献１】特開２００２−５６９９５号公報
【発明の開示】
【発明が解決しようとする課題】
【０００６】
特許文献１（特開２００２−５６９９５号公報）では、フィラメント間でのエンドグローを回避するためにランプ電圧を検出し、所定の値以上にならないようにしているが、同じ種類のランプであっても、フィラメント抵抗値のばらつきにより、フィラメントの加熱状態が異なるから、最適なエミッション開始までのフィラメント加熱が行われない場合がある。例えば、ＦＨＰ３２の陰極特性（フィラメント特性）では、フィラメント電流が０．４Ａ時に抵抗値が９．０Ω〜ｌ６．０Ωまでばらつきが発生する。従来例では先行予熱電流が定電流制御であるが、フィラメントのばらつきによりフィラメント電力が約１．８倍程度異なることになる。よって、先行予熱におけるフィラメントの加熱状態（電極温度）も異なることになり、フィラメントのばらつきによっては加熱不足（コールドスタート）が発生する場合がある。コールドスタートは短寿命の原因となる。
【０００７】
また、従来例では、２つあるフィラメントのうち、片方のみのフィラメント電圧を検出していたが、必ずしもフィラメント特性が両方とも同じとは限らない。同じランプにおいて２つあるフィラメントがばらつきにより抵抗値が大きく異なる場合、片方はエンドグローが発生していなくても、もう片方のフィラメントにエンドグローが発生している可能性がある。このため、必ずしもランプ寿命を確保できない場合が起こり得る。
【０００８】
このように、従来例ではフィラメントのばらつきによっては寿命時間がランプ毎に異なる場合があり、ランプ寿命末期時には不点灯のランプを頻繁に交換する必要が生じる。よって、メンテナンス費用が増加することになる。
【０００９】
また、従来例では先行予熱時間がフィラメントのばらつきにより異なるため、複数の放電灯点灯装置を同じ照明空間で使用した場合、点灯（始動）するタイミングが異なることになり、使用者に違和感を与えるという問題が発生する。
【００１０】
以上のように従来例ではフィラメント間での放電現象であるエンドグローに着目し、フィラメント電圧をモニタし、一定以上にさせないことでエンドグローを回避しているが、ランプ毎のフィラメント（抵抗値）のばらつきによっては必ずしもエミッションに最適な加熱状態（電極温度）になるとは限らない。エミッションに最適なフィラメントの状態はあくまでも電極温度から規定されるべきものだからである。
【００１１】
本発明は、以上のような問題点を解決するためになされたもので、複数の照明器具を１つの照明空間で使用する場合に、複数の放電灯を一斉に点灯させることで、点灯タイミングのばらつきを無くし、使用者に違和感を与えることを防ぐことを課題とする。また、フィラメント抵抗に起因する電気特性を検出し、フィラメントをエミッションに最適な状態まで加熱し、フィラメント間のエンドグローやエミッタ蒸発が発生しないようにフィラメント予熱を制御することで、ランプ毎のフィラメントのばらつきに関係なく、常に先行予熱時間を同等とすることができ、定格ランプ寿命を満足させることを課題とするものである。
【課題を解決するための手段】
【００１２】
請求項１の発明は、上記の課題を解決するために、図１に示すように、放電灯点灯装置２０，２１，２２，２３，…を収容する複数の照明器具１０，１１，１２，１３，…で構成される照明システムであって、各照明器具１０，１１，１２，１３，…に収容される放電灯点灯装置２０，２１，２２，２３，…は、図２に示すように、直流電源Ｅの出力端に接続された少なくとも１つ以上のスイッチング素子Ｑ１，Ｑ２からなるインバータ部１と、前記インバータ部１のスイッチングを制御する制御回路７と、熱陰極を有する放電灯Ｌａが接続可能な共振回路３を備え前記インバータ部１の出力端に接続される負荷回路２と、前記放電灯Ｌａのフィラメントの予熱を行う予熱回路とを備え、複数の照明器具は１台の親機１０と１台以上の子機１１，１２，１３，…からなり、親機１０は子機１１，１２，１３，…へ先行予熱期間から始動期間へ移行させる始動モード信号を発信し、子機は始動モード信号を受けると放電灯Ｌａ１，Ｌａ２，Ｌａ３，…に始動電圧を印加し、放電灯Ｌａ１，Ｌａ２，Ｌａ３，…を点灯させることを特徴とするものである。
【００１３】
請求項２の発明は、請求項１の発明において、照明器具１０，１１，１２，１３，…に収容される放電灯点灯装置２０，２１，２２，２３，…は、図４に示すように、放電灯Ｌａのフィラメント抵抗に起因する電気特性を検出する検出回路４を具備し、子機１１，１２，１３，…は前記検出回路４によりフィラメント抵抗に起因する電気特性を検出し、フィラメントの熱間抵抗と冷間抵抗との比が４．０以上５．５未満となると、親機１０へ先行予熱期間終了信号を出力し、親機１０は子機１１，１２，１３，…からの先行予熱期間終了信号を受けたあとで始動モード信号を発信することを特徴とする。
【００１４】
請求項３の発明は、請求項２の発明において、フィラメント抵抗に起因する電気特性は、ランプ点灯中である常時予熱時に検出され、予め記憶された先行予熱時のフィラメント電圧−フィラメント電流特性と常時予熱時のフィラメント抵抗に起因する電気特性の関係から、定められた先行予熱時間に応じて次回の先行予熱時の予熱電流量を決定することを特徴とする。
【００１５】
請求項４の発明は、請求項１〜３のいずれかに記載の照明システムにより点灯動作が制御される放電灯を含むことを特徴とする照明器具である。
【発明の効果】
【００１６】
請求項１の発明によれば、複数の照明器具を同じ照明空間で同じ電源系統に接続して使用する場合に、各照明器具の先行予熱モードから始動モードへの移行を親機から子機へ指令を出しておこなうため、各照明器具の一斉点灯が可能となる。したがって、個々の照明器具毎に点灯タイミングがずれることによる違和感を与えることなく使用することができる。
【００１７】
請求項２の発明によれば、フィラメント抵抗に起因する電気特性を検出し、先行予熱期間のフィラメントの熱間抵抗と冷間抵抗との比を４．０以上５．５未満となるように予熱出力制御を行うため、フィラメント特性（抵抗値）のばらつきが大きい場合でも適切なフィラメント加熱を行い、ランプ定格寿命を確保できるほか、更に一斉点灯がし易くなる。また、ランプ交換時期を同じ時期とすることが出来るので、ランプ寿命経過時のメンテナンス時間や費用を節減することができる。
【００１８】
請求項３の発明によれば、フィラメント特性の検出を点灯中に行うため、次回のフィラメント先行予熱の予熱出力を事前に設定しておくことができ、常に先行予熱時間を一定とすることができる。
【発明を実施するための最良の形態】
【００１９】
（実施形態１）
図１に本発明の実施形態１のシステム構成を示す。本実施形態は、複数の照明器具１０，１１，１２，１３，…からなる照明システムであり、各照明器具は１台の親機１０と１台以上の子機１１，１２，１３，…から構成される。各照明器具は同じ照明空間に配置され、同じ電源系統に接続されて、１つの壁スイッチあるいはセンサにより一斉に点灯可能な照明システムとして構成されている。本実施形態の特徴的な点は、親機１０である照明器具に内蔵された放電灯点灯装置２０はフィラメント先行予熱期間が終了すると、子機１１，１２，１３，…へ始動モード信号を送り、始動モード信号を受けた子機１１，１２，１３，…に搭載された放電灯点灯装置２１，２２，２３，…は始動電圧を一斉に放電灯Ｌａ１，Ｌａ２，Ｌａ３，…に印加し、放電灯Ｌａ１，Ｌａ２，Ｌａ３，…を一斉に点灯させる点である。
【００２０】
図２は本実施形態での照明器具に搭載される放電灯点灯装置の回路図である。以下、その回路構成について説明する。本回路は、出力電圧一定の直流電源Ｅと、直流電源Ｅの出力端に接続されたインバータ部１と、インバータ部１の出力端に接続された共振回路３と放電灯Ｌａからなる負荷回路２と、フィラメント電圧検出回路４と、インバータ部１及び直流電源Ｅの制御回路７，８と、各制御回路７，８に指令信号を与えるマイコン６とから構成されている。マイコン６は親機と子機との通信信号を処理する機能を備えており、親機のマイコン６は、フィラメント先行予熱が終了すると始動モード信号を送信する。また、子機のマイコン６は、始動モード信号を受信すると放電灯Ｌａを点灯（始動）させる。
【００２１】
直流電源Ｅは昇圧チョッパを用いている。昇圧チョッパ回路は図示するように、商用交流電源Ｖｓを全波整流するダイオードブリッジＤＢ１と、その整流出力に接続されたインダクタＬ２とスイッチング素子Ｑ３の直列回路と、スイッチング素子Ｑ３の両端に接続されたダイオードＤ１と平滑コンデンサＣ３の直列回路とから構成されている。スイッチング素子Ｑ３は制御回路８により交流電源Ｖｓよりも十分に高い周波数でオンオフ制御される。本回路を用いると、直流電源Ｅの出力電圧Ｖｄｃは商用交流電源Ｖｓのピーク値以上のある値で一定となる。マイコン６から制御回路８への指令により、チョッパ出力電圧Ｖｄｃを一定にしたり、可変させたりすることができる。
【００２２】
インバータ部１は、直流電源Ｅの出力に並列に、スイッチング素子Ｑ１、Ｑ２の直列回路が接続され、スイッチング素子Ｑ１とＱ２の接続点とインダクタＬ１の間には直流カット用のコンデンサＣｄが接続されている。スイッチング素子Ｑ１，Ｑ２は制御回路７により高周波で交互にオンオフ駆動される。
【００２３】
共振回路３はインダクタＬ１とコンデンサＣ１の直列共振回路を含み、インバータ部１の動作周波数が変化することにより、共振回路３の特性により放電灯Ｌａへの供給電力が変化することになる。先行予熱モードでは、インバータ部１の動作周波数は共振回路３の無負荷共振周波数よりも十分に高い周波数に設定され、放電灯Ｌａの両端には始動電圧よりも低い電圧が印加されて、放電灯ＬａのフィラメントにはコンデンサＣ１を介して予熱電流が流れる。つまり、放電灯Ｌａの両電極のフィラメントはコンデンサＣ１の両端と直列に接続されており、コンデンサＣ１に流れる電流が各フィラメントにも流れることにより各フィラメントが予熱される。これをコンデンサ予熱方式という。
【００２４】
先行予熱期間が終了して、始動モードに入ると、インバータ部１の動作周波数は共振回路３の無負荷共振周波数に近い周波数に低下し、放電灯Ｌａの両端には始動電圧よりも高い電圧が印加されて、放電灯Ｌａが点灯する。これにより放電灯Ｌａの両端間のインピーダンスは下がるので、共振回路３のＱが低下し、共振特性のピークが低くなると共に点灯時共振周波数は無負荷時共振周波数よりも低下する。放電灯Ｌａの点灯中は、インバータ部１の動作周波数は点灯時共振周波数よりも高い周波数（遅相モード）で放電灯Ｌａを全点灯ないしは調光点灯させるように周波数を適宜設定される。
【００２５】
親機１０である照明器具に搭載されている放電灯点灯装置２０のマイコン６は、制御回路７の信号を受けて、フィラメント先行予熱が終了するのを検出し、子機１１，１２，１３，…に搭載された放電灯点灯装置２１，２２，２３，…のマイコン６へ始動モード信号を出力する。子機１１，１２，１３，…である照明器具に搭載されている放電灯点灯装置２１，２２，２３，…のマイコン６は、始動モード信号を受けて、制御回路７へ信号を出力し、インバータ部１の動作周波数を予熱時周波数から始動時周波数へと変化させて、始動電圧を放電灯Ｌａに印加し、放電灯Ｌａを点灯させる。
【００２６】
以上のように本実施形態では、親機１０に搭載された放電灯点灯装置２０が放電灯Ｌａに始動電圧を印加すると同時に子機１１，１２，１３，…へ始動モード信号を送信し、子機１１，１２，１３，…の放電灯Ｌａ１，Ｌａ２，Ｌａ３，…を一斉に点灯させるため、複数の照明器具を使用しても点灯のタイミングがずれることなく、使用者は違和感なく使用することができる。
【００２７】
なお、複数の子機である照明器具に搭載された放電灯点灯装置は予熱時間タイマー等の部品のばらつきによりフィラメント先行予熱時間が異なるが、始動モード信号が入力されてから始動電圧を放電灯へ印加させるため、一斉点灯が可能となる。親機と子機の通信内容は複雑なものではないので、通信方法としては、一般的なデジタル通信手段を用いた有線または無線通信が考えられる。
【００２８】
（実施形態２）
図３に本発明の実施形態２のシステム構成を示す。図４は本実施形態での照明器具に搭載される放電灯点灯装置の回路図である。本実施形態の特徴的な点は、放電灯点灯装置にフィラメント電圧検出回路４が具備されており、子機である照明器具に内蔵された放電灯点灯装置がフィラメントの先行予熱期間中にフィラメント熱間抵抗Ｒｈとフィラメント冷間抵抗Ｒｃの比がＲｈ／Ｒｃ＝４．０〜５．５となったことを検出すると、親機である照明器具にＨ信号（ハイ信号）を出力し、親機である照明器具は全ての子機がＨ信号を出力した場合に始動モードへと移行させる信号を子機へ出力する点である。これにより、適切なフィラメント加熱を行い、ランプ定格寿命を確保できるほか、実施形態１よりも更に正確に一斉点灯が行われ、使用者は違和感なく多数の放電灯を点灯させることが出来る。
【００２９】
フィラメント電圧検出回路４は先行予熱期間のフィラメント電圧Ｖｆをモニタし、フィラメント電圧検出回路４の出力はマイコン６を介して制御回路７へ出力される。
【００３０】
先行予熱期間中は予熱周波数を一定とすることで、フィラメントには予熱用コンデンサとしても作用する共振コンデンサＣ１に流れる電流がフィラメント電流Ｉｆとして流れることにより、フィラメントを加熱させる。
【００３１】
フィラメント温度はフィラメント特性である、熱間抵抗と冷間抵抗の比（Ｒｈ／Ｒｃ）で計算されることが知られている。図５のようにフィラメントに電流を通電して得られるＶｆ−Ｉｆ特性を測定することで、フィラメント温度（Ｔｈ）を知ることが出来る。熱間温度Ｔｈは、以下の式で表される。
【００３２】
Ｔｈ（Ｋ）＝Ｔｃ（Ｋ）×（Ｒｈ／Ｒｃ）0.814
Ｒｃ：冷間抵抗＝Ｒｈ（５ｍＡ時）
Ｔｃ：冷間温度（Ｋ；ケルビン）
Ｒｈ：熱間抵抗
Ｔｈ：熱間温度（Ｋ；ケルビン）
【００３３】
陰極として使用される金属（タングステン）の特性よりＲｈ／Ｒｃ＝４．０となる時の熱間温度（Ｔｈ）がエミッション開始温度、Ｒｈ／Ｒｃ＝５．５となる時の熱間温度（Ｔｈ）がエミッタ蒸発開始温度となる。従って、その中間であるＲｈ／Ｒｃ＝４．７５が最適な予熱状態と言えるのである。
【００３４】
図６は本実施形態での先行予熱期間におけるフィラメント電圧Ｖｆとフィラメント電流Ｉｆの波形図である。本実施形態の予熱回路はコンデンサ予熱方式であり、先行予熱期間中のインバータ動作周波数が一定であるため、先行予熱期間のフィラメント電流Ｉｆはほぼ定電流として動作する。従って、本実施形態では先行予熱開始直後のフィラメント電圧Ｖｆの約４倍から５．５倍となるまで予熱し続ける。先行予熱開始直後とは図６における区間Ａのことであり、最終的に区間Ｂのフィラメント電圧が区間Ａのフィラメント電圧の４倍から５．５倍の電圧となる。フィラメントのばらつきにより抵抗値が低い場合は予熱時間が増加することになる。
【００３５】
一定時間が経過してもＲｈ／Ｒｃ＝４．０以上とならない場合は、インバータ動作周波数を予熱電流が増加する方向（一般的な遅相動作であれば低周波側）へ変化させるか、チョッパ出力電圧Ｖｄｃを増加させてＲｈ／Ｒｃ＝４．０〜５．５とする。
【００３６】
また、フィラメントのばらつきにより抵抗値が高い場合はＲｈ／Ｒｃ＝５．５以上とならないようにインバータ部１の動作周波数やチョッパ出力電圧Ｖｄｃを変化させる。
【００３７】
図３に示すように、Ｒｈ／Ｒｃ＝４．０以上となった時点で、子機である照明器具に搭載された放電灯点灯装置は親機へＨ信号（ハイ信号）を出力し、親機である照明器具に搭載された放電灯点灯装置は全ての子機がＨ信号を出力した場合に始動モードへと移行させる信号を子機へ出力する。
【００３８】
以上のように、本実施形態ではフィラメントの熱間抵抗Ｒｈと冷間抵抗Ｒｃの比（Ｒｈ／Ｒｃ）を検出することで、電極温度を推定し、エミッションを開始するために最適な先行予熱を行うことができる。従って、実施形態１よりもフィラメント特性（抵抗値）がばらついても放電灯の定格寿命を確保できるほか、全ての放電灯が更に一斉に点灯し易いため、使用者は違和感なく使用することができる。
【００３９】
また、本実施形態では全ての子機に接続された放電灯のフィラメント抵抗がＲｈ／Ｒｃ＝４．０〜５．５となったときに親機は始動モード信号を発信するとしているが、子機全体のうち一定の割合（例えば７割）がＲｈ／Ｒｃ＝４．０〜５．５となったときに親機が始動モード信号を発信するとしても良い。これにより、電源投入からランプ点灯に至るまでの時間が毎回一定となり易いので、使用者は更に違和感なく、使用することができる。
【００４０】
（実施形態３）
本発明の実施形態３に用いる放電灯点灯装置の回路図を図７に示す。本実施形態の先の実施形態と異なる点は、フィラメント電圧検出回路４だけではなく、フィラメント電流検出回路５が具備されている点である。また、予熱回路はコンデンサ予熱方式ではなく、予熱トランス方式を用いている。予熱トランスの１次巻線はコンデンサＣ４を介してスイッチング素子Ｑ２の両端に接続されており、予熱トランスの一対の２次巻線はそれぞれ予熱コンデンサを介して放電灯Ｌａの各電極のフィラメントに接続されている。予熱トランス方式はコンデンサ予熱方式よりも一般的にコスト、部品面積は増加するが、予熱設計の余裕度が大きく、先行予熱電流と常時予熱電流の最適設計が行いやすいというメリットがある。
【００４１】
先の実施形態では、フィラメント電圧Ｖｆのみを検出していたが、本実施形態の予熱方式は予熱トランス方式であり、定電流制御ではないので、フィラメント電流Ｉｆとフィラメント電圧Ｖｆの両方を検出し、マイコン６の内部でフィラメント抵抗（Ｖｆ／Ｉｆ）を算出している。
【００４２】
図８に本実施形態の先行予熱期間でのフィラメント電圧Ｖｆとフィラメント電流Ｉｆの波形を示す。本実施形態は予熱トランス方式であるため、フィラメント電流Ｉｆが時間とともに変化する。フィラメントが加熱され、抵抗値が高くなると、フィラメント電流が減少し、それに伴いフィラメント電圧Ｖｆが増加するのである。従って、本実施形態ではフィラメント電流Ｉｆとフィラメント電圧Ｖｆの両方を検出し、マイコン６の演算機能でフィラメント抵抗値を算出する。
【００４３】
図８の区間Ａのフィラメント抵抗値をＲｃとし、区間Ｂの先行予熱時のフィラメント抵抗値をＲｈとしたときに、Ｒｈ／Ｒｃ＝４．０〜５．５となるまで予熱を続ける。
【００４４】
また、フィラメント冷間抵抗Ｒｃの検出期間は先行予熱開始時（例えば図８の区間Ａ）とするのではなく、図９に示すように、先行予熱開始前にフィラメント冷間抵抗Ｒｃの検出区間を設け、定電流電源よりフィラメントに微小電流（例えば５ｍＡ）を流してフィラメント電圧を検出して、更に精度良く冷間抵抗Ｒｃを算出しても良い。本実施形態ではＲｈ／Ｒｃを正確に検出することができるので、様々な予熱回路においても定格ランプ寿命を確保することができる。
【００４５】
図１０は本実施形態のマイコン６に記憶された、点灯時のフィラメント電圧−フィラメント電流特性と先行予熱時間１秒間でＲｈ／Ｒｃ＝４．０〜５．５となるフィラメント電圧−フィラメント電流の比較テーブルである。本実施形態では電源がオフされる直前のフィラメント電圧Ｖｆ、フィラメント電流Ｉｆをマイコン６に記憶されたテーブルと比較し、先行予熱時のＲｈ／Ｒｃを推定しておく。本実施形態ではフィラメント特性（抵抗値）の検出を点灯時（常時予熱時）に行うため、次回の先行予熱時での予熱量を予め設定しておくことができる。
【００４６】
例えば、図１０において、放電灯点灯装置の電源がオフされる直前のフィラメント電圧Ｖｆとフィラメント電流Ｉｆの値が点Ａであったとする。点Ａのフィラメント電流Ｉｆは常時予熱電流である。この場合、点Ａを通る曲線により先行予熱時間１秒間でＲｈ／Ｒｃ＝４．０〜５．５となる先行予熱電流が推定される。図１０の例では、点Ａを通る曲線上の第１の白丸（先行予熱時間１秒間でＲｈ／Ｒｃ＝４．０となる）と第２の白丸（先行予熱時間１秒間でＲｈ／Ｒｃ＝５．５となる）の中間に次回の先行予熱電流を設定する。次回の電源投入時にはマイコン６は所望の先行予熱電流となるように、制御回路７へ先行予熱時のインバータ動作周波数の指令を与える、或いは制御回路８にチョッパ出力電圧Ｖｄｃを変化させる指令を与える。
【００４７】
以上のように本実施形態ではフィラメント特性を点灯時（常時予熱時）に取得しておくため、先行予熱時には毎回、定められた予熱時間（例えば１秒）で所望のフィラメント加熱を行うことが出来る。このため、フィラメント特性（抵抗値）がばらついても、子機である照明器具はほぼ同じタイミングで親機にＨ信号を出力するので、毎回電源を投入してから一斉点灯するまでの時間（先行予熱時間）は同じとなる。これにより、使用者は更に違和感なく、照明器具を使用することができる。
【００４８】
なお、本実施形態では２つあるフィラメントのうち片方のみ（低圧側フィラメントのみ）にフィラメント電圧検出回路４とフィラメント電流検出回路５を設けているが、もう片方（高圧側フィラメント）にも同様の検出回路を設け、フィラメント毎に独立して予熱制御を行えば、フィラメントのばらつきの影響を受けず、さらに正確にフィラメント毎の最適な先行予熱を行うことができる。
【図面の簡単な説明】
【００４９】
【図１】本発明の実施形態１の全体構成を示すブロック図である。
【図２】本発明の実施形態１に用いる放電灯点灯装置の回路図である。
【図３】本発明の実施形態２の全体構成を示すブロック図である。
【図４】本発明の実施形態２に用いる放電灯点灯装置の回路図である。
【図５】本発明の実施形態２の動作説明のための特性図である。
【図６】本発明の実施形態２の動作を示す波形図である。
【図７】本発明の実施形態３に用いる放電灯点灯装置の回路図である。
【図８】本発明の実施形態３の動作を示す波形図である。
【図９】本発明の実施形態３の別の動作を示す波形図である。
【図１０】本発明の実施形態３の動作説明のための特性図である。
【符号の説明】
【００５０】
１  インバータ部
２  負荷回路
３  共振回路
４  フィラメント電圧検出回路
５  フィラメント電流検出回路
６  マイコン
７  インバータ制御回路
８  チョッパ制御回路
１０        親機
１１〜１３  子機
【図１】
2010009792.tif 000003
【図２】
2010009792.tif 000004
【図３】
2010009792.tif 000005
【図４】
2010009792.tif 000006
【図５】
2010009792.tif 000007
【図６】
2010009792.tif 000008
【図７】
2010009792.tif 000009
【図８】
2010009792.tif 000010
【図９】
2010009792.tif 000011
【図１０】
2010009792.tif 000012